(57)【要約】【課題】本発明の課題は、用紙のたるみを発生することなく、円滑且つ安定して用紙を搬送することが可能な信頼性の高い給紙装置を提供することにある。【解決手段】本発明に関わる給紙装置は、回転することにより周面３ｓの摩擦力を用いて用紙ｐを搬送する給紙ローラ３と、収納された用紙ｐを給紙ローラ３に圧接する用紙昇降板２ａと、用紙昇降板２ａ上から搬送された用紙ｐのうちの１枚を摩擦力を用いて給紙ローラ３によって搬出させる剥離板４とを備える給紙装置１であって、給紙ローラ３の回転軸方向の両側端面３ｔ、３ｔの外側方に隣接して配設され、用紙昇降板２ａ上から搬送される用紙ｐを給紙ローラ３の周面３ｓに沿うように案内するたるみ取り手段２ｂ、２ｂを備えることを特徴としている。【選択図】  図１
2005008396.tif 000002
【特許請求の範囲】
【請求項１】
回転することにより周面の摩擦力を用いて用紙を搬送する給紙ローラと、収納された用紙を前記給紙ローラに圧接する用紙昇降板と、該用紙昇降板上から搬送された用紙のうちの１枚を摩擦力を用いて前記給紙ローラによって搬出させる剥離板とを備える給紙装置であって、
前記給紙ローラの回転軸方向の両側端面の外側方に隣接して配設され、用紙昇降板上から搬送される用紙を前記給紙ローラの周面に沿うように案内するたるみ取り手段を備える
ことを特徴とする給紙装置。
【請求項２】
前記たるみ取り手段は、前記用紙昇降板と前記剥離板との間に配置される
ことを特徴とする請求項１に記載の給紙装置。
【請求項３】
前記たるみ取り手段は、
用紙を前記給紙ローラの周面に近接するように案内するリブガイド面若しくはリブ先端部を前記給紙ローラの回転軸方向から見たときに前記給紙ローラ周面の近傍域に具えるたるみ取りリブである
ことを特徴とする請求項１または請求項２に記載の給紙装置。
【発明の詳細な説明】
【０００１】
【発明の属する技術分野】
本発明は、コピー機、ＦＡＸ等に使用されるコピー用紙、紙幣、証券などの紙用類の用紙を供給する給紙装置に関する。
【０００２】
【従来の技術】
従来、コピー機、ＦＡＸ等において用紙を供給する給紙装置１０１は、概念的側断面図の図４に示すように、用紙昇降板１０２ａ上に用紙ｐが収納される用紙トレイ１０２と、矢印方向に回転して周面１０３ｓの摩擦力により用紙ｐを給紙ライン（図４中の矢印ｈ方向）に沿って搬送する給紙ローラ１０３と、用紙昇降板１０２ａ上から搬送された用紙ｐのうち給紙ローラ１０３に接触する１枚を給紙ローラ１０３によって搬出させる大きな摩擦係数をもつ摩擦面１０４ｍを有する剥離板１０４とを備えている。
【０００３】
なお、用紙トレイ１０２内の用紙昇降板１０２ａは、バネ等の弾性材（図示せず）の弾性力によりａ方向に付勢されており、用紙昇降板１０２ａ上に収納された用紙ｐは、用紙昇降板１０２ａからの弾性力により給紙ローラ１０３の周面１０３ｓに圧接されている。
【０００４】
次に、給紙装置１０１の給紙動作について説明する。
【０００５】
複数枚の用紙ｐが用紙トレイ１０２内の用紙昇降板１０２ａ上に収納されると、用紙昇降板１０２ａにより用紙ｐが給紙ローラ１０３の周面１０３ｓに圧接される。
【０００６】
給紙ローラ１０３の周面１０３ｓに圧接された用紙ｐは、給紙ローラ１０３の周面１０３ｓとの摩擦力により、給紙ローラ１０３が矢印方向に回転することにより剥離板１０４の摩擦面１０４ｍ上に搬送される。
【０００７】
続いて、剥離板１０４上に搬送された用紙ｐのうち、給紙ローラ１０３の周面１０３ｓに接触している１枚の用紙にのみ給紙ローラ１０３その駆動力が伝達され、矢印ｈ方向に搬送される。
【０００８】
ここで、給紙ローラ１０３の周面１０３ｓに接触する用紙以外の用紙は、給紙ローラ１０３の回転力が充分に伝達されることはなく搬出されない。
【０００９】
なお、文献公知発明としては、下記の特許文献１、特許文献２が開示されている。
【００１０】
【特許文献１】
特開平０６−１４７６号公報
【特許文献２】
特開平２００１−２６１１７７号公報
【発明が解決しようとする課題】
ところで、薄紙等の普通紙は、腰が弱い（弾性係数が小さい）ため上記の搬送メカニズムにより、給紙ローラ１０３の周面１０３ｓに沿って矢印ｈ方向に比較的円滑に搬送される。
【００１１】
一方、厚紙、葉書等の腰の強い（弾性係数が大きい）用紙の場合、２点鎖線ｈ０に示すように、用紙ｐが給紙ローラ１０３の周面１０３ｓに沿い難く周面１０３ｓから離れ、用紙ｐのたるみが生じることがある。
【００１２】
その際、用紙ｐが給紙ローラ１０３の周面１０３ｓに巻き付かないため、用紙搬送力が低下して、所定の位置まで用紙を搬送することができない。
【００１３】
また、腰の強い用紙の場合、用紙ｐ先端部が剥離板１０４のトレイ側端部１０４ｔ等に引っ掛かり、給紙不良が起こる場合がある。
【００１４】
本発明は上記実状に鑑み、用紙たるみ等の給紙不良を発生することなく、円滑且つ安定して用紙を搬送することが可能である信頼性の高い給紙装置の提供を目的とする。
【００１５】
【課題を解決するための手段、作用及び効果】
上記目的を達成するべく、本発明の請求項１に関わる給紙装置は、
回転することにより周面の摩擦力を用いて用紙を搬送する給紙ローラと、収納された用紙を前記給紙ローラに圧接する用紙昇降板と、該用紙昇降板上から搬送された用紙のうちの１枚を摩擦力を用いて前記給紙ローラによって搬出させる剥離板とを備える給紙装置であって、
前記給紙ローラの回転軸方向の両側端面の外側方に隣接して配設され、用紙昇降板上から搬送される用紙を前記給紙ローラの周面に沿うように案内するたるみ取り手段を備えることを特徴としている。
【００１６】
上記構成によれば、用紙昇降板上から搬送される用紙を給紙ローラの周面に沿うように案内するたるみ取り手段を備えるので、給紙ローラの周面からの用紙のたるみが防止され、給紙ローラの周面と用紙との接触面積、圧接力等が増加され給紙ローラの周面と用紙との摩擦力が向上し、安定確実な用紙の搬送が可能である信頼性の高い給紙装置が得られる。
【００１７】
本発明の請求項２に関わる給紙装置は、請求項１に記載の給紙装置において、たるみ取り手段は、前記用紙昇降板と前記剥離板との間に配置されることを特徴としている。
【００１８】
上記構成によれば、たるみ取り手段が、用紙昇降板と剥離板との間に配置されるので、用紙が、給紙ローラの周面に巻き付くように案内されて用紙昇降板から剥離板へ搬送されるまでに生じる用紙のたるみが防止され、良好な用紙の搬送が可能である。
【００１９】
本発明の請求項３に関わる給紙装置は、請求項１または請求項２に記載の給紙装置において、前記たるみ取り手段は、用紙を前記給紙ローラの周面に近接するように案内するリブガイド面若しくはリブ先端部を前記給紙ローラの回転軸方向から見たときに前記給紙ローラ周面の近傍域に具えるたるみ取りリブであることを特徴としている。
【００２０】
上記構成によれば、用紙を給紙ローラの周面に近接するように案内するリブガイド面若しくはリブ先端部を給紙ローラの回転軸方向から見たときに給紙ローラ周面の近傍域に具えるたるみ取りリブをたるみ取り手段として備えるので、用紙がたるみ取りリブのリブガイド面若しくはリブ先端部によって給紙ローラの周面に近接するように確実に案内され、給紙ローラの周面への用紙の巻き付きが良好に促進され、円滑な用紙の搬送が可能である。
【００２１】
【発明の実施の形態】
以下、実施例を示す図面に基づいて、本発明を詳細に説明する。
【００２２】
本実施例においては、コピー機、ＦＡＸ等の給紙装置を例示して説明を行う。
【００２３】
図１は、給紙装置１の概念的側断面図を示し、図２は、図１のＡ方向矢視図を示し、図３は、図１の矢印Ｂ方向から見た実際の給紙装置１を図を示している。
【００２４】
給紙装置１は、図１、図３に示すように、用紙ｐが載置される用紙昇降板２ａを有する用紙トレイ２と、回転することによりその周面３ｓと用紙ｐとの摩擦力によって用紙ｐを給紙ライン（図１中の矢印ｉ方向）に沿って搬送する給紙ローラ３と、給紙ローラ３に接触する１枚の用紙ｐのみを給紙ローラ３によって搬出させるための大きな摩擦係数をもつ摩擦面４ｍを有する剥離板４とを備えている。
【００２５】
ここで、給紙ローラ３は、その周面３ｓと用紙ｐ間の摩擦力によって用紙ｐを搬送するため、給紙ローラ３の周面３ｓは、表面粗さが粗く所定の摩擦係数を有している。
【００２６】
また、剥離板４は、その摩擦面４ｍに接触する用紙ｐを留める働きをするため、剥離板４の摩擦面４ｍは、所定の摩擦係数に設定されている。
【００２７】
上記用紙トレイ２には、図３に示すように、その後方部に用紙ｐが載置される用紙支持板２ｄが具わり、その中央部に用紙ｐの側方をガイドするための用紙側方ガイド２ｃ、２ｃが具わっている。
【００２８】
用紙側方ガイド２ｃ、２ｃは、互いに離間する寸法を拡大、縮小可能なようにに取着されており、用紙サイズに従って移動され、収納された用紙ｐの側方部を押えてガイドする。
【００２９】
また、用紙トレイ２の用紙昇降板２ａは、図１に示すように、バネ等の弾性材（図示せず）の弾性力により矢印ｂ方向に付勢されており、該用紙昇降板２ａおよび用紙支持板２ｄ上に載置された用紙ｐは、用紙昇降板２ａからの矢印ｂ方向の弾性力により給紙ローラ３の周面３ｓに圧接されることになる。
【００３０】
また、用紙トレイ２には、図１に示すように、たるみ取り手段としてたるみ取りリブ２ｂ、リブ２ｂが、用紙昇降板２ａと剥離板４との間であり、かつ、給紙ローラ３の周面３ｓ近傍域に配設されており、用紙ｐを案内して給紙ローラ３の周面３ｓに沿わせ、巻き付かせる。
【００３１】
ここで、たるみ取りリブ２ｂ、２ｂは、用紙トレイ２と一体的に成形され、概念図である図２、図３に示すように、給紙ローラ３の回転軸を横切る、すなわち、回転軸方向の両側端面３ｔ、３ｔに隣接して外側方に一対、設けられている。
【００３２】
また、たるみ取りリブ２ｂは、給紙ローラ３の回転軸方向から見たときに給紙ローラ３の周面３ｓの近傍域にリブガイド面２ｂ１若しくはリブ先端部２ｂ２を有しており、リブガイド面２ｂ１若しくはリブ先端部２ｂ２によって用紙ｐが案内され、給紙ローラ３の周面３ｓに確実に巻き付かれる。
【００３３】
給紙ローラ３の周面３ｓとたるみ取りリブ２ｂ、２ｂとが、給紙ローラ３の半径方向に離間する距離、すなわち、給紙ローラ３の周面３ｓに巻き付いた用紙厚方向の距離は、使用される用紙のうちの最も厚い用紙厚の寸法より若干、長い寸法を有している。
【００３４】
なお、本実施例では、たるみ取りリブ２ｂ、２ｂを用紙トレイ２と一体的に成形した場合を例示したが、必ずしも一体でなくともよい。
【００３５】
次に、給紙装置１における用紙ｐの搬送について説明する。
【００３６】
用紙トレイ２内の用紙昇降板２ａ、用紙支持板２ｄ上に載置された用紙ｐは、その側方部を用紙側方ガイド２ｃ、２ｃによってガイドされ、図１に示すように、用紙昇降板２ａからの弾性力により給紙ローラ３の周面３ｓに圧接されている。
【００３７】
そして、給紙ローラ３の周面３ｓに圧接されている用紙ｐは、給紙ローラ３の矢印方向の回転によって、周面３ｓとの摩擦力により給紙ローラ３の周面３ｓに巻き付き、用紙昇降板２ａ上から剥離板４の摩擦面４ｍ上に向け搬送される。
【００３８】
用紙昇降板２ａ上から搬送された用紙ｐは、たるみ取りリブ２ｂ、２ｂのリブガイド面２ｂ１若しくはリブ先端部２ｂ２にガイドされて、円滑に給紙ローラ３の周面３ｓに巻き付きつつ、剥離板４の摩擦面４ｍ上へ搬送される。
【００３９】
ここで、たるみ取りリブ２ｂ、２ｂにより用紙ｐが給紙ローラ３の周面３ｓに確実に巻き付けられることにより、用紙ｐと給紙ローラ３の周面３ｓとの接触面積が拡大して摩擦係数が増加するとともに接触圧が増加して周面３ｓとそれに接触する用紙ｐ間の摩擦力が増加し、給紙ローラ３の周面３ｓと用紙ｐ間の摩擦力によって行われる用紙ｐの搬送が円滑に遂行される。
【００４０】
剥離板４上に用紙ｐが搬送されると、剥離板４上の用紙ｐのうち、給紙ローラ３の周面３ｓに接触する１枚の用紙ｐのみが矢印ｉ方向へ剥離板４上から搬出される。
【００４１】
すなわち、剥離板４上に搬送された用紙ｐのうちの給紙ローラ３の周面３ｓに接触している用紙ｐは、その上面は摩擦係数の大きな給紙ローラ３の周面３ｓに接触しており、その下面は摩擦係数の小さな用紙ｐに接触している。
【００４２】
また、剥離板４の摩擦面４ｍに接触している用紙ｐは、その下面は剥離板４の摩擦係数の大きい摩擦面４ｍに接触しており、その上面は摩擦係数の小さな用紙ｐに接触している。
【００４３】
また、給紙ローラ３の周面３ｓまたは剥離板４の摩擦面４ｍの何れにも接触していない用紙ｐは、上下面とも摩擦係数の小さな用紙ｐに接触している。
【００４４】
そのため、給紙ローラ３の周面３ｓに接触せず用紙間に挟まれた用紙ｐは、上下面が摩擦係数の小さな用紙ｐに接触しており、給紙ローラ３の搬送力が充分に伝達されず剥離板４上から矢印ｉ方向に搬出されることはない。
【００４５】
また、剥離板４の摩擦面４ｍに接触しており、給紙ローラ３の周面３ｓに接触いない用紙ｐは、その下面は、剥離板４の摩擦面４ｍの大きな摩擦力により静止力が伝達され、その上面は、摩擦係数の小さな用紙ｐに接触しているため、給紙ローラ３の周面３ｓの摩擦力による搬送力が充分に伝達されず、剥離板４上に留まることになる。
【００４６】
こうして、給紙ローラ３の周面３ｓに接触する１枚の用紙ｐにのみ、給紙ローラ３の周面３ｓの摩擦力による搬送力が充分に伝達され、該１枚の用紙ｐのみが剥離板４上から矢印ｉ方向に搬出されることになる。
【００４７】
上述した如く、用紙トレイ２内に収納された用紙ｐは、用紙昇降板２ａにより給紙ローラ３に圧接され、たるみ取りリブ２ｂ、２ｂを用いることで円滑に給紙ローラ３に巻き付き、その周面３ｓの摩擦負荷により剥離板４の摩擦面４ｍ上に搬送される。
【００４８】
そして、剥離板４上に複数枚搬送された用紙ｐは、剥離板４の摩擦面４ｍの摩擦力を利用して、給紙ローラ３に接触する１枚の用紙ｐのみを他の用紙ｐから離反し、該１枚の用紙ｐを給紙ローラ３により搬出することができる。
【００４９】
上記構成によれば、たるみ取りリブ２ｂ、２ｂが、用紙昇降板２ａと剥離板４との間に配置され、また、たるみ取りリブ２ｂ、２ｂのリブガイド面２ｂ１若しくはリブ先端部２ｂ２が、給紙ローラ３の周面３ｓの近傍域に配置されているため、たるみ取りリブ２ｂ、リブ２ｂにより用紙ｐのたるみが抑えられ、用紙ｐを給紙ローラ３の周面３ｓに確実に巻き付かせることができる。
【００５０】
従って、用紙ｐのたるみに起因する給紙ローラ３の周面３ｓと用紙ｐとの摩擦力の低下が防止でき、安定した用紙ｐの搬送を図れる。
【００５１】
そのため、厚紙等の腰のある（弾性係数の大きい）用紙ｐの場合、用紙ｐは、たるみ取りリブ２ｂ、２ｂにより給紙ローラ３の周面３ｓに沿わせられ、その腰の強さにより、用紙ｐが、剥離板４の摩擦面４ｍに当接して剥離板４が押し下げられ、用紙搬送力が低下することが防止される。
【００５２】
また、薄紙等の腰のない（弾性係数の小さい）用紙ｐの場合、用紙ｐは、たるみ取りリブ２ｂ、２ｂにより給紙ローラ３に沿わせられ、給紙ローラ３と剥離板４との間で用紙ｐが座屈し（図４中のｈ０を参照）、給紙不良が発生することが防止される。
【００５３】
また、給紙ローラ３の径が小さい場合においても、たるみ取りリブ２ｂ、２ｂにより用紙ｐを給紙ローラ３の周面３ｓに沿わせることにより、給紙ローラ３の周面３ｓと用紙ｐ間の摩擦力が増大して、摩擦力の低下に起因する用紙搬送力の低下を防止することができる。
【００５４】
また、たるみ取りリブ２ｂ、２ｂを用いて用紙ｐを給紙ローラ３の周面３ｓに沿わせることにより、用紙ｐ先端部が、剥離板４の用紙トレイ２側の端面４ｔ等に引っ掛かり発生する給紙不良を防止することができる。
【００５５】
従って、給紙ローラ３の周面３ｓの摩擦負荷による円滑な用紙ｐの搬送が可能な給紙装置１が実現できる。
【００５６】
なお、たるみ取り手段としてたるみ取りリブ２ｂ、リブ２ｂを例示したが、用紙ｐを給紙ローラ３の周面３ｓに巻き付くように案内するものであれば、用紙ｐをローラの回転運動によって案内する構成等、リブ以外の構成でたるみ取り手段を構成することは可能であり、必ずしもリブに限定されるものではない。
【００５７】
たるみ取り手段を、ローラで構成した場合には、ローラの周面の回転運動により用紙ｐを案内するので、円滑な用紙ｐの案内が可能となる。
【００５８】
なお、上述した実施例においては、コピー機、ＦＡＸ等における給紙装置１を例示しているが、紙幣、証券などの紙用類の用紙を供給する給紙装置等のその他の給紙装置においても、本発明に関わる給紙装置を有効に適用し得ることは言うまでもない。
【００５９】
【発明の効果】
以上、詳述した如く、本発明に関わる給紙装置によれば、たるみ取りリブにより用紙を確実に給紙ローラに巻き付かせるため、円滑且つ安定した用紙の搬送が可能となり、信頼性の高い給紙装置を実現できる。
【図面の簡単な説明】
【図１】本発明に関わる給紙装置を示す概念的側断面図。
【図２】図１の給紙装置のＡ方向矢視図。
【図３】実際の給紙装置を図１の矢印Ｂ方向から見た斜視図。
【図４】従来の給紙装置を示す概念的側断面図。
【符号の説明】
１…給紙装置、
２ａ…用紙昇降板、
２ｂ…たるみ取りリブ（たるみ取り手段）、
２ｂ１…たるみ取りリブのリブガイド面、
２ｂ２…たるみ取りリブのリブ先端部、
３…給紙ローラ、
３ｓ…給紙ローラの周面、
３ｔ、３ｔ…給紙ローラの両側端面、
４…剥離板、
４ｍ…剥離板の摩擦面、
ｐ…用紙。
【図１】
2005008396.tif 000003
【図２】
2005008396.tif 000004
【図３】
2005008396.tif 000005
【図４】
2005008396.tif 000006